(57)【要約】      （修正有）【課題】天板を取り外すことなくＦＰＤにアクセスし、ＦＰＤのメンテナンス作業を行うことができるＸ線透視撮影装置を提供する。【解決手段】本Ｘ線透視撮影装置は、Ｘ線管１と、天板４を挟んでＸ線管１と対向しフレーム３内に配設されるＸ線受像部を構成するＦＰＤ２と、天板４の短手方向奥側に配設される例えば蝶番で構成される回転支持部５を支点とし短手方向手前側を上方に持ち上げた状態を維持するダンパー６などからなる構造を有する。したがって、天板４を取り外すことなくＦＰＤ２のメンテナンス作業を行うことができる。【選択図】図１
0003155560.tif 000002
【実用新案登録請求の範囲】
【請求項１】
被検者を載置する天板と、前記天板を挟んで対向配置されるＸ線管とＸ線受像部とを備えたＸ線透視撮影装置において、前記天板はその長手方向端部を回転軸として回転可能に蝶着されていることを特徴とするＸ線透視撮影装置。
【請求項２】
前記天板を任意の回転位置で停止可能に保持する保持手段を備えたことを特徴とする請求項１記載のＸ線透視撮影装置。
【請求項３】
前記天板はその短手方向手前側が回転可能に短手方向奥側で蝶着されているとともに、前記保持手段をダンパーにて構成することを特徴とする請求項２記載のＸ線透視撮影装置。
【請求項４】
前記天板の下に配設される天板下枠はその短手方向手前側が回転可能に短手方向奥側で蝶着され、モータで駆動される回転直線運動変換機構に上下動可能に保持されたラック杆が前記天板下枠の下面に当接し前記天板下枠を任意の回転位置で保持するとともに、前記天板はその短手方向奥側が回転可能に短手方向手前側で前記天板下枠に蝶着され、前記天板下枠に支持されたモータで駆動される回転直線運動変換機構に上下動可能に保持されたラック杆が前記天板の下面に当接し前記天板を任意の回転位置で保持することを特徴とする請求項２記載のＸ線透視撮影装置。
【請求項５】
前記回転直線運動変換機構をラックピニオン機構にて構成することを特徴とする請求項４記載のＸ線透視撮影装置。
【考案の詳細な説明】
【技術分野】
【０００１】
本考案は、Ｘ線透視撮影装置に係り、特に透視撮影台を構成する天板を支持する構造に関する。
【背景技術】
【０００２】
Ｘ線透視撮影装置は、被検者を載置する天板と、該天板を挟んで対向配置されるＸ線管と例えばＦＰＤで構成されるＸ線受像部などを備え、被検者を透過するＸ線の透視撮影を行う。
【０００３】
従来のＸ線透視撮影装置では、据付時に透視撮影台にＦＰＤを搭載するときやメンテナンス作業時に天板を外す必要がある。該天板は被検者の位置決めのため短手方向に移動可能に保持され、該移動を生起する駆動部を含む天板左右動機構と天板は一体構造である。天板の取り外しに際しては天板周辺のカバーを外してから天板左右動機構と天板一式をフレームから引き抜く必要があり、作業が煩雑であるとともに天板は重量物であり、二人による作業が必要である。また、取り外した部品を一時的に保管しておくため、装置を設置する検査室のスペースを広く確保しておく必要がある。
【０００４】
一方、狭い設置スペースでも使用することができるように、装置をコンパクトにして大型化することなく簡単な構造で天板高さを低くした天板昇降機能を装備するＸ線透視撮影装置が提供されている（特許文献１参照）。
【先行技術文献】
【特許文献】
【０００５】
【特許文献１】特開２００６−１２２４８９号公報
【考案の概要】
【考案が解決しようとする課題】
【０００６】
ＦＰＤのメンテナンス作業を一人で行うことができ、取り外した部品を一時的に保管しておくため、装置を設置する検査室のスペースを広く確保しておく必要がないＸ線透視撮影装置を提供する。
【０００７】
また、被検者に対し術者がマイクで体位変更の指示をしても、被検者は動作方向を間違えることが多いが、体位変更の指示が的確に伝達されるＸ線透視撮影装置を提供する。
【課題を解決するための手段】
【０００８】
本考案は、被検者を載置する天板と、前記天板を挟んで対向配置されるＸ線管とＸ線受像部とを備えたＸ線透視撮影装置において、前記天板はその長手方向端部を回転軸として回転可能に蝶着されているものである。さらに前記天板を任意の回転位置で停止可能に保持する保持手段を備えている。また、前記天板はその短手方向手前側が回転可能に短手方向奥側で蝶着されているとともに、前記保持手段をダンパーにて構成する。したがって、ＦＰＤのメンテナンス時に天板を取り外す必要はない。
【０００９】
また、前記天板の下に配設される天板下枠はその短手方向手前側が回転可能に短手方向奥側で蝶着され、モータで駆動される回転直線運動変換機構に上下動可能に保持されたラック杆が前記天板下枠の下面に当接し前記天板下枠を任意の回転位置で保持するとともに、前記天板はその短手方向奥側が回転可能に短手方向手前側で前記天板下枠に蝶着され、前記天板下枠に支持されたモータで駆動される回転直線運動変換機構に上下動可能に保持されたラック杆が前記天板の下面に当接し前記天板を任意の回転位置で保持するものである。なお、前記回転直線運動変換機構はラックピニオン機構にて構成される。したがって、被検者を載置した天板を必要な方向へ少し傾斜させることで体位変更を促すことができる。
【考案の効果】
【００１０】
天板は短手方向奥側を支点にして手前側を持ち上げることでＦＰＤにアクセスでき、ＦＰＤのメンテナンスに際し天板を取り外す必要はない。したがって、ＦＰＤのメンテナンス作業を一人で行うことができ、取り外した部品を一時的に保管しておくため、装置を設置する検査室のスペースを広く確保しておく必要がないＸ線透視撮影装置を提供可能である。
【００１１】
また、被検者に対し術者がマイクで体位変更の指示をしても、被検者は動作方向を間違えることが多いが、被検者を載置した天板を必要な方向へ少し傾斜させることで体位変更を促すことができ、体位変更の指示が的確に伝達されるＸ線透視撮影装置を提供可能である。
【図面の簡単な説明】
【００１２】
【図１】本考案の実施例によるＸ線透視撮影装置の概略構造を示す側面図である。
【図２】本考案の実施例によるＸ線透視撮影装置の概略構造を示す斜視図である。
【図３】本考案の実施例によるＸ線透視撮影装置の概略構造を示す側面図である。
【図４】本考案の実施例によるＸ線透視撮影装置の概略構造を示す側面図である。
【図５】本考案の実施例による天板開閉駆動部の概略構造を示す図である。
【図６】本考案の実施例による天板開閉駆動部の概略構造を示す図である。
【考案を実施するための形態】
【００１３】
Ｘ線透視撮影装置は、被検者を載置する天板と、該天板を挟んで対向配置されるＸ線管と例えばＦＰＤで構成されるＸ線受像部などを備え、被検者を透過するＸ線の透視撮影を行う。
【実施例１】
【００１４】
本考案の実施例１について図１、図２を参照して説明する。図１は、本考案の実施例１によるＸ線透視撮影装置の概略構造を示す側面図である。図２は、本考案の実施例１によるＸ線透視撮影装置の概略構造を示す斜視図である。
【００１５】
本考案の実施例１によるＸ線透視撮影装置は、図１に示すとおり、Ｘ線管１と、天板４を挟んでＸ線管１と対向しフレーム３内に配設されるＸ線受像部を構成するＦＰＤ２と、天板４の短手方向奥側に配設される例えば蝶番で構成される回転支持部５を支点とし短手方向手前側を上方に持ち上げた状態を維持するダンパー６などからなる構造を有する。天板４は、透視撮影時など通常は水平状態（閉の状態）を保持しているが、ロックを外すことによりｄ方向に開閉できる。
【００１６】
天板４が開の状態のとき、図２に示すとおり、術者は容易にＦＰＤ２にアクセスできる。なお図２において図１と同じ符号で示す部品は図１と同じものなので説明は省略する。
【００１７】
本考案は以上の構造であるから、天板４を取り外すことなく、回転支持部５を支点としてｄ方向に開く（回転する）ことでＦＰＤ２にアクセスできメンテナンスを行うことができる。したがって、ＦＰＤ２のメンテナンス作業を一人で行うことができ、取り外した部品を一時的に保管しておくため、装置を設置する検査室のスペースを広く確保しておく必要がないＸ線透視撮影装置を提供可能である。
【００１８】
図に示す実施例１においては、ダンパー６で天板４の手前側を持ち上げた状態を維持しているが、ダンパー６の代わりに単純な支え棒で置き換えても本考案は適用可能である。また、天板４は手動で開閉する構造であるがモーターの動力で開閉する構造でも良い。上述のとおり本考案は図示例に限定されるものではなく種々の変形例を包含する。
【実施例２】
【００１９】
本考案の実施例２について図３〜図６を参照して説明する。図３は、本考案の実施例２によるＸ線透視撮影装置の概略構造を示す側面図である。図４は、本考案の実施例２によるＸ線透視撮影装置の概略構造を示す側面図である。図５は、本考案の実施例２による天板開閉駆動部３８の概略構造を示す図である。図６は、本考案の実施例２による天板開閉駆動部３９の概略構造を示す図である。
【００２０】
本考案の実施例２によるＸ線透視撮影装置は、図３に示すとおり、Ｘ線管１と、被検者Ｍが載置される天板３４と、天板３４の短手方向手前側に配設される例えば蝶番で構成される回転支持部３７で蝶着される天板下枠３５と、フレーム３内に配設されるＸ線受像部を構成するＦＰＤ２と、天板下枠３５の短手方向奥側に配設されフレーム３と蝶着する回転支持部３６と、天板下枠３５下面に上端が滑動可能に接し上下動するラック杆３８ａなどからなる構造を有する。
【００２１】
図３において、フレーム３に保持され電動で作動する天板開閉駆動部３８を構成するラック杆３８ａは上下に移動し、天板３４をｅ方向に開閉する。一方、天板下枠３５に保持され電動で作動する天板開閉駆動部３９を構成するラック杆３９ａは下限で停止しており、天板３４と天板下枠３５は閉の状態を維持している。
【００２２】
図４において、天板３４下面に上端が滑動可能に接し上下動するラック杆３９ａは天板３４をｆ方向に開閉する。一方、図示しないラック杆３８ａは下限で停止しており、天板下枠３５とフレーム３は閉の状態を維持している。なお図４において図３と同じ符号で示す部品は図３と同じものなので説明は省略する。
【００２３】
本考案の実施例２による天板開閉駆動部３８は、図５に示すとおり、フレーム３に固定されるベース３８ｆと、天板下枠３５下面に上端が滑動可能に接し上下動可能にガイド３８ｅに保持されたラック杆３８ａと、ベース３８ｆに固定されたガイド３８ｅと、回転軸がベース３８ｆに保持されラック杆３８ａと歯合するピニオン歯車３８ｂと、ベース３８ｆに固定されたモータ３８ｄの回転軸に軸着されピニオン歯車３８ｂと歯合する歯車３８ｃとからなるラックピニオン機構構造を有する。なお図５において図３と同じ符号で示す部品は図３と同じものなので説明は省略する。
【００２４】
本考案の実施例２による天板開閉駆動部３９は、図６に示すとおり、天板下枠３５に固定されるベース３９ｆと、天板３４下面に上端が滑動可能に接し上下動可能にガイド３９ｅに保持されたラック杆３９ａと、ベース３９ｆに固定されたガイド３９ｅと、回転軸がベース３９ｆに保持されラック杆３９ａと歯合するピニオン歯車３９ｂと、ベース３９ｆに固定されたモータ３９ｄの回転軸に軸着されピニオン歯車３９ｂと歯合する歯車３９ｃとからなるラックピニオン機構構造を有する。なお図６において図３と同じ符号で示す部品は図３と同じものなので説明は省略する。
【００２５】
図３〜図６においては、ラック杆３８ａあるいはラック杆３９ａの一方が上方に押し出され天板３４が開の状態を示しているが、通常はラック杆３８ａ、３９ａともに下限に位置し天板３４と天板下枠３５は水平状態を維持する。
【００２６】
本考案は以上の構造であるから、被検者Ｍに対し術者がマイクで体位変更の指示をするとともに、ラック杆３８ａあるいはラック杆３９ａの一方を通常位置より上方に移動させ被検者Ｍを載置した天板３４を必要な方向へ少し傾斜させることで体位変更を促すことができ、体位変更の指示が的確に被検者Ｍに伝達される。さらにＦＰＤ２のメンテナンスに際しても、ラック杆３８ａを上方に移動し天板３４をｅ方向に開にしてＦＰＤ２にアクセスしメンテナンス作業を実行できるため、天板３４を取り外す必要はない。
【００２７】
図に示す実施例２においては、ラックとピニオンの組み合わせで回転運動を直線運動に変換しているが、回転が止められ移動可能に保持されたネジと回転可能に保持されたナットの組み合わせからなるネジ送り機構でも本考案は適用可能である。上述のとおり本考案は図示例に限定されるものではなく、例えばカム機構を利用し、カム周辺に天板の回転部を接合させることにて回転させる方法なども可能であり、図示例に限定されず種々の変形例を包含する。
【産業上の利用可能性】
【００２８】
本考案は、Ｘ線透視撮影装置に係り、特に透視撮影台を構成する天板を支持する構造について利用の可能性がある。
【符号の説明】
【００２９】
１  Ｘ線管
２  ＦＰＤ
３  フレーム
４  天板
５  回転支持部
６  ダンパー
３４  天板
３５  天板下枠
３６  回転支持部
３７  回転支持部
３８  天板開閉駆動部
３８ａ  ラック杆
３８ｂ  ピニオン歯車
３８ｃ  歯車
３８ｄ  モータ
３８ｅ  ガイド
３８ｆ  ベース
３９  天板開閉駆動部
３９ａ  ラック杆
３９ｂ  ピニオン歯車
３９ｃ  歯車
３９ｄ  モータ
３９ｅ  ガイド
３９ｆ  ベース
Ｍ  被検者
【図１】
0003155560.tif 000003
【図２】
0003155560.tif 000004
【図３】
0003155560.tif 000005
【図４】
0003155560.tif 000006
【図５】
0003155560.tif 000007
【図６】
0003155560.tif 000008